(57)【要約】【課題】プレビュー画像を表示する際に、プレビュー画像もその他の表示情報も見やすくして、視認性の良好なインターフェースを実現できる画像処理装置を提供する。【解決手段】プレビュー画像と、プレビュー画像以外の表示情報とを表示部（１５０）に表示するように制御する制御部（１００）を備える画像処理装置（１）であって、表示部（１５０）は、プレビュー画像が表示されるプレビュー画像表示領域を備え、制御部（１００）は、プレビュー画像表示領域に表示された１または複数のプレビュー画像を拡大／縮小表示するとき、表示部（１５０）に表示されている表示情報を拡大／縮小表示するように制御することを特徴とする。【選択図】図１
2020107958.tif 000002
【特許請求の範囲】
【請求項１】
プレビュー画像と、前記プレビュー画像以外の表示情報とを表示画面に表示するように制御する制御部を備える画像処理装置であって、
前記表示画面は、プレビュー画像が表示されるプレビュー画像表示領域を備え、
前記制御部は、前記プレビュー画像表示領域に表示された１または複数のプレビュー画像を拡大／縮小表示するとき、前記表示画面に表示されている前記表示情報を拡大／縮小表示するように制御することを特徴とする画像処理装置。
【請求項２】
前記表示情報は、操作ボタンと文字情報の少なくとも何れかを含むことを特徴とする請求項１に記載の画像処理装置。
【請求項３】
前記制御部は、前記表示情報を前記プレビュー画像表示領域内に表示可能とすることを特徴とする請求項１に記載の画像処理装置。
【請求項４】
前記制御部は、前記表示情報を拡大／縮小表示するときに、前記表示情報を拡大／縮小表示することを特徴とする請求項２に記載の画像処理装置。
【請求項５】
前記制御部は、前記プレビュー画像を拡大／縮小表示する倍率と、前記表示情報を拡大／縮小表示する倍率とを同じ倍率とすることを特徴とする請求項１から４のうち何れか一項に記載の画像処理装置。
【請求項６】
前記制御部は、前記プレビュー画像を拡大／縮小表示する倍率と、前記表示情報を拡大／縮小表示する倍率とを異なる倍率とすることを特徴とする請求項１から４のうち何れか一項に記載の画像処理装置。
【請求項７】
前記制御部は、前記プレビュー画像を拡大／縮小表示するときに、表示する表示情報として、画像編集に関する機能を実行する操作ボタンを表示することを特徴とする請求項１から６のうち何れか一項に記載の画像処理装置。
【請求項８】
前記制御部は、前記プレビュー画像の拡大／縮小表示の倍率に拘わらず、前記表示情報の拡大／縮小表示する倍率の上限を設定することを特徴とする請求項１から８のうち何れが一項に記載の画像処理装置。
【請求項９】
前記制御部は、前記表示情報の拡大／縮小表示する倍率の上限を、前記プレビュー画像と前記表示情報とが重畳しないで表示される状態とすることを特徴とする請求項９に記載の画像処理装置。
【請求項１０】
前記制御部は、前記プレビュー画像を拡大／縮小表示するとともに、前記プレビュー画像表示領域を拡大／縮小表示するように制御することを特徴とする請求項１から１０のうち何れか一項に記載の画像処理装置。
【請求項１１】
前記制御部は、表示されるプレビュー画像の数に応じて、前記プレビュー画像の拡大／縮小の倍率を変更することを特徴とする請求項１に記載の画像処理装置。
【請求項１２】
前記制御部は、前記プレビュー画像が表示される縦／横方向の向きに応じて、前記プレビュー画像表示領域の拡大／縮小の倍率を変更することを特徴とする請求項１から１１のうち何れか一項に記載の画像処理装置。
【発明の詳細な説明】
【技術分野】
【０００１】
本発明は、画像処理装置に係り、特に、プレビュー画像と、前記プレビュー画像以外の表示情報とを表示画面に表示する画像処理装置に関する。
【背景技術】
【０００２】
近年、画像処理装置において、入力された画像データに基づいてプレビュー画像を生成して、操作部の表示画面にプレビュー表示するものが知られている。
【０００３】
従来の画像処理装置では、例えば、プレビュー画像表示領域に表示された複数のプレビュー画像の一部を拡大して、拡大プレビュー画像として表示するようにしたものが開示されている（特許文献１を参照）。
【先行技術文献】
【特許文献】
【０００４】
【特許文献１】特開２００８−２４５０３４号公報
【発明の概要】
【発明が解決しようとする課題】
【０００５】
しかしながら、特許文献１の技術では、表示画面に表示されたプレビュー画像を拡大プレビュー画像として表示しても、その他表示情報の大きさはそのままであるため、表示情報の存在感が小さくなり、相対的に表示情報の視認性が悪いインターフェースとなるという問題がある。
【０００６】
そこで、表示情報の視認性を良くするために、例えば、前述とは逆にプレビュー画像を縮小表示すると、表示情報の大きさはそのままであるため、相対的にプレビュー画像の存在感が小さくなり、プレビュー画像がより見にくくなるという問題が生じる。
【０００７】
本発明は、上記従来の課題に鑑みてなされたものであり、プレビュー画像を表示する際に、プレビュー画像もその他の表示情報も見やすくして、視認性の良好なインターフェースを実現できる画像処理装置を提供することを目的とする。
【課題を解決するための手段】
【０００８】
本発明は、プレビュー画像と、前記プレビュー画像以外の表示情報とを表示画面に表示するように制御する制御部を備える画像処理装置であって、前記表示画面には、プレビュー画像が表示されるプレビュー画像表示領域を備え、前記制御部により、前記プレビュー画像表示領域に表示された１または複数のプレビュー画像を拡大／縮小表示するとき、前記表示画面に表示されている前記表示情報を拡大／縮小表示するように制御することを特徴とするものである。
【発明の効果】
【０００９】
本発明の画像処理装置によれば、プレビュー画像と、前記プレビュー画像以外の表示情報とを表示画面に表示するように制御する制御部を備える画像処理装置であって、前記表示画面には、プレビュー画像が表示されるプレビュー画像表示領域を備え、前記制御部により、前記プレビュー画像表示領域に表示された１または複数のプレビュー画像を拡大／縮小表示するとき、前記表示画面に表示されている前記表示情報を拡大／縮小表示するように制御することで、プレビュー画像もその他の表示情報も見やすくして、視認性の良好なインターフェースを実現できる画像処理装置を提供することができる。
【図面の簡単な説明】
【００１０】
【図１】第１実施形態に係る画像形成装置の構成を示すブロック図である。
【図２】前記画像形成装置の概略構成を示す説明図である。
【図３】（ａ）は前記画像形成装置の表示部にプレビュー画像を表示した状態を示す説明図、（ｂ）は前記プレビュー画像を拡大表示したときのその他の表示情報の表示状態を示す説明図である。
【図４】（ａ）は第２実施形態に係る画像形成装置の表示部にプレビュー画像を表示した状態を示す説明図、（ｂ）は前記プレビュー画像を拡大表示したときのその他の表示情報の表示状態を示す説明図である。
【図５】（ａ）は第３実施形態に係る画像形成装置の表示部にプレビュー画像を表示した状態を示す説明図、（ｂ）は前記プレビュー画像を拡大表示したときのコピーボタンの表示状態を示す説明図、（ｃ）は前記プレビュー画像を拡大表示したときの文字情報の表示状態を示す説明図である。
【図６】（ａ）は第４実施形態に係る画像形成装置の表示部にプレビュー画像を表示した状態を示す説明図、（ｂ）は前記プレビュー画像を拡大表示したときの表示情報の表示状態を示す説明図である。
【図７】（ａ）は第５実施形態に係る画像形成装置の表示部にプレビュー画像を表示した状態を示す説明図、（ｂ）は前記プレビュー画像を拡大表示したときの文字情報とコピーボタンの表示状態を示す説明図である。
【図８】（ａ）は第６実施形態に係る画像形成装置の表示部にプレビュー画像を表示した状態を示す説明図、（ｂ）は前記プレビュー画像を拡大表示したときの文字情報とコピーボタンの表示状態を示す説明図である。
【図９】（ａ）は第７実施形態に係る画像形成装置の表示部にプレビュー画像を表示した状態を示す説明図、（ｂ）は前記プレビュー画像を拡大表示したときの文字情報とコピーボタンの表示状態を示す説明図である。
【図１０】（ａ）は第８実施形態に係る画像形成装置の表示部にプレビュー画像を表示した状態を示す説明図、（ｂ）は前記プレビュー画像を拡大表示したときのプレビュー画像表示領域の表示状態と文字情報およびコピーボタンの表示状態を示す説明図である。
【図１１】（ａ）は第９実施形態に係る画像形成装置の表示部に１ページ分のプレビュー画像を表示した状態を示す説明図、（ｂ）は前記表示部に２ページ分のプレビュー画像を表示した状態を示す説明図である。
【図１２】（ａ）は第１０実施形態に係る画像形成装置の表示部にプレビュー画像を縦方向の向きで表示した状態を示す説明図、（ｂ）は前記表示部にプレビュー画像を横方向の向きで表示した状態を示す説明図である。
【発明を実施するための形態】
【００１１】
（第１実施形態）
以下、本発明の第１実施形態について図面を参照して説明する。
図１は発明を実施する形態の一例であって、本発明の第１実施形態に係る画像形成装置の構成を示すブロック図、図２は前記画像形成装置の概略構成を示す説明図である。
【００１２】
第１実施形態は、図１に示すように、プレビュー画像と、プレビュー画像以外の表示情報とを表示部１５０に表示するように制御する制御部１００を備える画像処理装置である画像形成装置１であって、制御部１００により、表示部１５０に表示されたプレビュー画像を拡大／縮小表示するとき、表示部１５０に表示されている表示情報を拡大／縮小表示するように制御することを特徴とするものである。
【００１３】
（画像形成装置の構成）
まず、第１実施形態に係る画像形成装置１の基本的な構成について説明する。
画像形成装置１は、図２に示すように、装置本体の上部に原稿読取部１１２を備えて原稿の画像を読取り、電子写真方式により画像を出力する画像処理装置である。
そして、画像形成装置１は、図１に示すように、主に、制御部１００と、画像入力部１１０と、原稿読取部１１２と、画像処理部１２０と、画像形成部１３０と、操作部１４０と、表示部１５０と、記憶部１６０とを備え、さらに、プレビュー画像表示倍率設定部１７０と、表示情報表示倍率設定部１８０と、表示画像生成部１９０とを備えて構成されている。
【００１４】
制御部１００は、画像形成装置１の全体を制御するための機能部である。
そして、制御部１００は、各種プログラムを読み出して実行することにより各種機能を実現しており、例えば１又は複数の演算装置（例えば、ＣＰＵ（Central Processing Unit））等により構成されている。
【００１５】
また、第１実施形態では、制御部１００は、プレビュー画像を拡大／縮小表示するときに、プレビュー画像表示倍率設定部１７０によりプレビュー画像の表示倍率を設定して、その結果に基づき、表示情報表示倍率設定部１８０によりその他の表示情報の表示倍率を設定して、その結果に基づき、表示画像生成部１９０によりプレビュー画像とその他の表示情報との表示画像を生成するように制御する。
【００１６】
画像入力部１１０は、画像形成装置１に入力される画像データを読み取るための機能部である。そして、画像入力部１１０は、原稿の画像を読み取る機能部である原稿読取部１１２と接続され、原稿読取部１１２から出力される画像データを入力する。
【００１７】
また、画像入力部１１０は、ＵＳＢ（Universal Serial Bus）メモリや、ＳＤカード等の記憶媒体から画像データを入力してもよい。また、他の端末装置と接続を行う通信部を備えて、他の端末装置から画像データを入力してもよい。
【００１８】
画像処理部１２０は、画像データに各種画像処理を施す機能部である。そして、画像処理が施された画像データに基づき出力画像を形成する。
【００１９】
画像形成部１３０は、画像データに基づく出力データを記録媒体（例えば記録用紙）に形成するための機能部である。例えば、図２に示すように、給紙トレイ１２２から記録用紙を給紙し、画像形成部１３０において記録用紙の表面に画像が形成された後に排紙トレイ１２４から排紙される。画像形成部１３０は、例えば電子写真方式を利用したレーザプリンタ等により構成されている。
【００２０】
操作部１４０は、ユーザによる操作指示を受け付けるための機能部であり、各種キースイッチや、接触による入力を検出する装置等により構成されている。ユーザは、操作部１４０を介して、使用する機能や出力条件を入力する。
表示部１５０は、ユーザに各種情報を表示するための機能部であり、例えばＬＣＤ（Liquid crystal display）等により構成されている。
【００２１】
なお、画像形成装置１は、図２に示すように、操作パネル１４１と、表示部１５０とが一体に形成されているタッチパネルを備えてもよい。この場合において、タッチパネルの入力を検出する方式は、例えば、抵抗膜方式、赤外線方式、電磁誘導方式、静電容量方式といった、一般的な検出方式であればよい。
【００２２】
記憶部１６０は、画像形成装置１の動作に必要な各種プログラムや、各種データが記憶されている機能部である。記憶部１６０は、例えば、半導体メモリであるＳＳＤ（Solid State Drive）や、ＨＤＤ（Hard Disk Drive）等により構成されている。
【００２３】
プレビュー画像表示倍率設定部１７０は、プレビュー画像を拡大／縮小表示する倍率を設定する。倍率の入力指示は、例えば、利用者の表示部１５０に表示されたプレビュー画像へのピンチイン、ピンチアウトのタッチ操作や、スライドバー、ボタンによる拡大／縮小のスイッチ操作等、ジェスチャー操作によるものであってもよい。
【００２４】
表示情報表示倍率設定部１８０は、プレビュー画像表示倍率設定部１７０により設定されたプレビュー画像の倍率に基づいて、表示情報を表示する倍率を設定する。
【００２５】
表示画像生成部１９０は、プレビュー画像表示倍率設定部１７０により設定された倍率に基づいてプレビュー画像を生成するとともに、表示情報表示倍率設定部１８０により設定された倍率に基づいて表示情報の表示画像を生成する。
【００２６】
（画像形成装置によるプレビュー画像の表示について）
次に、第１実施形態の画像形成装置１において、プレビュー画像を表示する場合について説明する。
図３（ａ）は第１実施形態に係る画像形成装置の表示部にプレビュー画像を表示した状態を示す説明図、（ｂ）は前記プレビュー画像を拡大表示したときのその他の表示情報の表示状態を示す説明図である。
【００２７】
図３（ａ）に示すように、画像形成装置１の表示部１５０には、表示画面１５１が表示される。表示画面１５１にはプレビュー画像１５０１が表示されるプレビュー画像表示領域１５２が設けられている。
【００２８】
また、表示画面１５１には、プレビュー画像以外の表示情報として、複数の文字情報１５１０とコピーボタン１５２１が表示されている。ここでは、図３（ａ）に示すように、文字情報１５１０は、複数の矩形状のエリアとして簡略化して表示している。コピーボタン（操作ボタン）１５２１は、コピーを実行するスタートボタンである。
【００２９】
プレビュー画像表示領域１５２には、プレビュー画像１５０１が表示されている。
プレビュー画像１５０１を拡大表示する場合は、例えば、プレビュー画像１５０１上でピンチアウト操作を行うことで拡大表示される。プレビュー画像１５０１を拡大する倍率は、ピンチアウト操作に基づいて、プレビュー画像表示倍率設定部１７０において倍率が設定される。
【００３０】
第１実施形態では、プレビュー画像１５０１の拡大倍率に基づいて、表示情報表示倍率設定部１７０により文字情報１５１０とコピーボタン１５２１の拡大倍率が設定される。
【００３１】
そして、図３（ｂ）に示すように、設定された拡大倍率に基づいて、プレビュー画像１５０１と文字情報１５１０とコピーボタン１５２１とが、拡大されたプレビュー画像１５０１ａと拡大された文字情報１５１０ａと拡大されたコピーボタン１５２１ａとして表示される。図中の２点鎖線の部分は、拡大表示する前のプレビュー画像１５０１と文字情報１５１０とコピーボタン１５２１の大きさを示す。
【００３２】
表示情報表示倍率設定部１７０では、拡大／縮小処理が実行される前の文字情報１５１０やコピーボタン１５２１の表示位置や表示間隔に基づき、拡大／縮小処理が実行された際に、それぞれの表示情報が重ならないように、かつ、離れすぎないように倍率に対応して適宜位置調整が行われる。
【００３３】
以上のように構成したので、第１実施形態によれば、画像形成装置１において、プレビュー画像１５０１を拡大表示するときに、制御部１００により、文字情報１５１０とコピーボタン１５２１とをプレビュー画像１５０１と同様に拡大表示することで、プレビュー画像１５０１、文字情報１５１０およびコピーボタン１５２１を見やすく表示して、視認性の良好なインターフェースを実現できる画像形成装置１を提供することができる。
【００３４】
（第２実施形態）
次に、第２実施形態について説明する。
第２実施形態は、画像形成装置１において、制御部１００により、表示部１５０に表示された２つのプレビュー画像を拡大／縮小表示するとき、表示部１５０に表示されている表示情報を拡大表示するように制御することを特徴とするものである。
【００３５】
図４（ａ）は第２実施形態に係る画像形成装置の表示部にプレビュー画像を表示した状態を示す説明図、（ｂ）は前記プレビュー画像を拡大表示したときのその他の表示情報の表示状態を示す説明図である。
【００３６】
なお、第２実施形態において、説明の便宜上、第１実施形態と同一の機能を有する構成には、同一の番号を付して説明を省略する。
【００３７】
第２実施形態では、図４（ａ）に示すように、画像形成装置１の表示部１５０の表示画面１５１のプレビュー画像表示領域１５２には、２つのプレビュー画像２５０１，２５０２が表示されている。
【００３８】
第２実施形態では、２つの異なるプレビュー画像２５０１，２５０２は同じ拡大倍率で表示される。そして、２つのプレビュー画像２５０１，２５０２の拡大倍率に基づいて、表示情報表示倍率設定部１７０により文字情報１５１０とコピーボタン１５２１の拡大倍率が設定される。
【００３９】
そして、図４（ｂ）に示すように、設定された拡大倍率に基づいて、２つのプレビュー画像２５０１，２５０２と文字情報１５１０とコピーボタン１５２１が、拡大された２つのプレビュー画像２５０１ａ，２５０２ａと拡大された文字情報１５１０ａと拡大されたコピーボタン１５２１ａとして表示される。
【００４０】
以上のように構成したので、第２実施形態によれば、画像形成装置１において、２つのプレビュー画像１５０２，１５０３を拡大表示するときに、制御部１００により、文字情報１５１０とコピーボタン１５２１とを２つのプレビュー画像２５０１，２５０２と同様に拡大表示するようにしたことで、その他の文字情報１５１０やコピーボタン１５２１も見やすく表示できる。
【００４１】
（第３実施形態）
次に、第３実施形態について説明する。
第３実施形態は、画像形成装置１において、制御部１００により、表示部１５０に表示されたプレビュー画像を拡大／縮小表示するとき、表示部１５０に表示されている表示情報のうちを操作ボタンのみを拡大表示するように制御することを特徴とするものである。
【００４２】
図５（ａ）は第３実施形態に係る画像形成装置の表示部にプレビュー画像を表示した状態を示す説明図、（ｂ）は前記プレビュー画像を拡大表示したときのコピーボタンの表示状態を示す説明図、（ｃ）は前記プレビュー画像を拡大表示したときの文字情報の表示状態を示す説明図である。
【００４３】
なお、第３実施形態において、説明の便宜上、第１実施形態と同一の機能を有する構成には、同一の番号を付して説明を省略する。
【００４４】
第３実施形態では、図５（ａ）に示すように、画像形成装置１の表示部１５０の表示画面１５１のプレビュー画像表示領域１５２には、プレビュー画像１５０１が表示されている。また、表示画面１５１には、複数の文字情報１５１０とコピーボタン１５２１が表示されている。
【００４５】
第３実施形態では、プレビュー画像１５０１の拡大倍率に基づいて、表示情報表示倍率設定部１７０によりコピーボタン１５２１の拡大倍率が設定される。文字情報１５１０については、拡大表示は実行されない。
【００４６】
そして、図５（ｂ）に示すように、プレビュー画像１５０１を拡大表示するとき、プレビュー画像１５０１とコピーボタン１５２１が、拡大されたプレビュー画像１５０１ａと拡大されたコピーボタン１５２１ａとして表示される。
【００４７】
以上のように構成したので、第３実施形態によれば、画像形成装置１において、プレビュー画像１５０１を拡大表示するときに、制御部１００により、コピーボタン１５２１のみをプレビュー画像１５０１と同様に拡大表示するようにしたことで、コピーボタン１５２１を見やすく表示でき、視認性の良好なインターフェースを実現できる。
【００４８】
なお、図５（ｃ）に示すように、コピーボタン１５２１に替えて、文字情報１５１０をプレビュー画像１５０１とともに、設定された拡大倍率に基づいて、拡大されたプレビュー画像１５０１ａと拡大された文字情報１５１０ａとして表示するようにしてもよい。
【００４９】
（第４実施形態）
次に、第４実施形態について説明する。
第４実施形態は、画像形成装置１において、制御部１００により、表示部１５０に表示されたプレビュー画像を拡大／縮小表示するとき、表示情報をプレビュー画像表示領域１５２内に表示して拡大表示するように制御することを特徴とするものである。
【００５０】
図６（ａ）は第４実施形態に係る画像形成装置の表示部にプレビュー画像を表示した状態を示す説明図、（ｂ）は前記プレビュー画像を拡大表示したときの表示情報の表示状態を示す説明図である。
【００５１】
なお、第４実施形態において、説明の便宜上、第１実施形態と同一の機能を有する構成には、同一の番号を付して説明を省略する。
【００５２】
第４実施形態では、図６（ａ）に示すように、画像形成装置１の表示部１５０の表示画面１５１のプレビュー画像表示領域１５２には、プレビュー画像１５０１が表示されている。また、表示画面１５１には、複数の文字情報１５１１と複数のプレビュー画像に関係する文字情報１５１２とコピーボタン１５２１が表示されている。プレビュー画像に関係する文字情報とは、例えば、倍率、画像編集、画像形成条件変更等である。
【００５３】
第４実施形態では、図６（ｂ）に示すように、プレビュー画像１５０１を拡大表示するとき、プレビュー画像１５０１に関係する文字情報１５１２とコピーボタン１５２１が、拡大表示されたプレビュー画像表示領域４５２内に、拡大されたプレビュー画像１５０１ａとともに、拡大された文字情報１５１２ａと拡大されたコピーボタン１５２１ａとして表示される。
【００５４】
文字情報１５１２とコピーボタン１５２１とは、プレビュー画像１５０１の拡大倍率に基づいて表示される。
【００５５】
以上のように構成したので、第４実施形態によれば、画像形成装置１において、プレビュー画像１５０１を拡大表示するときに、制御部１００により、プレビュー画像表示領域４５２内にプレビュー画像１５０１とともにプレビュー画像１５０１に関係する文字情報１５１２とコピーボタン１５２１とを拡大表示するようにしたことで、文字情報１５１２とコピーボタン１５２１とを見やすく表示でき、視認性の良好なインターフェースを実現できる。
【００５６】
（第５実施形態）
次に、第５実施形態について説明する。
第５実施形態は、画像形成装置１において、制御部１００により、表示部１５０に表示されたプレビュー画像を拡大／縮小表示するとき、プレビュー画像を拡大／縮小表示する倍率と、表示情報を拡大／縮小表示する倍率とを異なる倍率とすることを特徴とするものである。
【００５７】
図７（ａ）は第５実施形態に係る画像形成装置の表示部にプレビュー画像を表示した状態を示す説明図、（ｂ）は前記プレビュー画像を拡大表示したときの文字情報とコピーボタンの表示状態を示す説明図である。
【００５８】
なお、第５実施形態において、説明の便宜上、第１実施形態と同一の機能を有する構成には、同一の番号を付して説明を省略する。
【００５９】
第５実施形態では、図７（ａ）に示すように、画像形成装置１の表示部１５０の表示画面１５１のプレビュー画像表示領域１５２には、プレビュー画像１５０１が表示されている。また、表示画面１５１には、複数の文字情報１５１０とコピーボタン１５２１が表示されている。
【００６０】
第５実施形態では、プレビュー画像１５０１の拡大倍率に基づいて、表示情報表示倍率設定部１７０により文字情報１５１０の拡大倍率が設定される。このとき、プレビュー画像１５０１の拡大倍率と文字情報１５１０の拡大倍率が異なるよう設定される。ここでは文字情報１５１０が見やすくなるようにプレビュー画像１５０１の拡大倍率よりも大きい倍率に設定される。文字情報１５１０については、拡大表示は実行されない。
【００６１】
そして、図７（ｂ）に示すように、プレビュー画像１５０１を拡大表示するとき、文字情報１５１０が拡大された文字情報１５１０ｂとして表示される。
【００６２】
以上のように構成したので、第５実施形態によれば、画像形成装置１において、プレビュー画像１５０１を拡大表示するときに、制御部１００により、プレビュー画像１５０１の拡大倍率と、文字情報１５１０の拡大倍率とを異なる倍率とすることで、例えば、文字情報１５１０の拡大倍率をプレビュー画像１５０１の拡大倍率よりも大きい倍率とすることで、文字情報１５１０が見やすくできる。これにより、視認性の良好なインターフェースを実現できる。
【００６３】
なお、文字情報１５１０に替えて、コピーボタン１５２１の拡大倍率をプレビュー画像１５０１の拡大倍率と異なる倍率で表示するようにしてもよい。
【００６４】
（第６実施形態）
次に、第６実施形態について説明する。
第６実施形態は、画像形成装置１において、制御部１００により、表示部１５０に表示されたプレビュー画像を拡大／縮小表示するとき、表示する表示情報として、画像編集に関する機能を実行する操作ボタンを表示することを特徴とするものである。
【００６５】
図８（ａ）は第６実施形態に係る画像形成装置の表示部にプレビュー画像を表示した状態を示す説明図、（ｂ）は前記プレビュー画像を拡大表示したときの文字情報とコピーボタンの表示状態を示す説明図である。
【００６６】
なお、第６実施形態において、説明の便宜上、第１実施形態と同一の機能を有する構成には、同一の番号を付して説明を省略する。
【００６７】
第６実施形態では、図８（ａ）に示すように、画像形成装置１の表示部１５０の表示画面１５１のプレビュー画像表示領域１５２には、プレビュー画像１５０１が表示されている。また、表示画面１５１には、複数の文字情報１５１０とコピーボタン１５２１が表示されている。
【００６８】
第６実施形態では、図８（ｂ）に示すように、プレビュー画像１５０１を拡大表示するときに、表示する表示情報として拡大ボタン１５２２と縮小ボタン１５２３を表示することを特徴としている。ここでは、文字情報１５１０とコピーボタン１５２１とは拡大表示はされない。
【００６９】
プレビュー画像１５０１が拡大表示されたとき、文字情報１５１０とコピーボタン１５２１とを拡大表示しないことで、表示画面１５１に拡大ボタン１５２２と縮小ボタン１５２３とが追加表示されたことを明確にすることがきる。
【００７０】
以上のように構成したので、第６実施形態によれば、画像形成装置１において、プレビュー画像１５０１を拡大表示するときに、制御部１００により、表示情報として、プレビュー画像１５０１の拡大／縮小表示に関する拡大ボタン１５２２と縮小ボタン１５２３とを追加表示することで、画像編集などの操作性に優れたインターフェースを実現できる。
【００７１】
なお、変形例として、図６（ｃ）に示すように、プレビュー画像１５０１を拡大表示するときに、拡大ボタン１５２２と縮小ボタン１５２３の追加表示に加えて、プレビュー画像１５０１ａを縦／横方向に移動可能な移動ボタン（スクロールボタン）１５２４を表示するようにしてもよい。
【００７２】
また、表示画面１５１に追加表示される画像編集に関する機能を実行する操作ボタンとして、例えば、表示リセットボタン、画像編集ボタン等を表示するようにしてもよい。
【００７３】
（第７実施形態）
次に、第７実施形態について説明する。
第７実施形態は、画像形成装置１において、制御部１００により、表示部１５０に表示されたプレビュー画像を拡大／縮小表示するとき、プレビュー画像の拡大／縮小表示の倍率に拘わらず、表示情報の拡大／縮小表示する倍率の上限を特定することを特徴とするものである。
【００７４】
図９（ａ）は第７実施形態に係る画像形成装置の表示部にプレビュー画像を表示した状態を示す説明図、（ｂ）は前記プレビュー画像を拡大表示したときの文字情報とコピーボタンの表示状態を示す説明図である。
【００７５】
なお、第７実施形態において、説明の便宜上、第１実施形態と同一の機能を有する構成には、同一の番号を付して説明を省略する。
【００７６】
第７実施形態では、図９（ａ）に示すように、画像形成装置１の表示部１５０の表示画面１５１のプレビュー画像表示領域１５２には、プレビュー画像７５０１が表示されている。また、表示画面１５１には、複数の文字情報１５１０とコピーボタン１５２１が表示されている。
【００７７】
第７実施形態では、図９（ｂ）に示すように、プレビュー画像７５０１を大きく拡大表示するときに、プレビュー画像７５０１の拡大倍率に拘わらず、文字情報１５１０とコピーボタン１５２１の拡大倍率の上限が設定されて、拡大された文字情報１５１０ｃと拡大されたコピーボタン１５２１ｃとが表示画面１５１上で重畳することなく表示される。
【００７８】
ここでは、プレビュー画像７５０１の拡大倍率は、約４倍程度に設定されている。
文字情報１５１０とコピーボタン１５２１の拡大倍率は、約２倍程度に設定されており、プレビュー画像１５０１の拡大倍率よりも小さく設定されている。
【００７９】
これにより、小さいプレビュー画像７５０１を大きな倍率で拡大表示したときに、文字情報１５１０とコピーボタン１５２１が大きすぎることなく、見やすい表示状態の倍率で拡大表示される。
【００８０】
以上のように構成したので、第７実施形態によれば、画像形成装置１において、プレビュー画像１５０１を拡大表示するときに、制御部１００により、プレビュー画像７５０１の拡大表示の倍率に拘わらず、文字情報１５１０とコピーボタン１５２１の拡大表示する倍率の上限を設定することで、文字情報１５１０とコピーボタン１５２１とが重畳することなく、見やすい表示状態の倍率で表示できるので、視認性や操作性に優れたインターフェースを実現できる。
【００８１】
（第８実施形態）
次に、第８実施形態について説明する。
第８実施形態は、画像形成装置１において、制御部１００により、プレビュー画像を拡大／縮小表示するとともに、プレビュー画像表示領域を拡大／縮小表示するように制御することを特徴とするものである。
【００８２】
図１０（ａ）は第８実施形態に係る画像形成装置の表示部にプレビュー画像を表示した状態を示す説明図、（ｂ）は前記プレビュー画像を拡大表示したときのプレビュー画像表示領域の表示状態と文字情報およびコピーボタンの表示状態を示す説明図である。
【００８３】
なお、第８実施形態において、説明の便宜上、第１実施形態と同一の機能を有する構成には、同一の番号を付して説明を省略する。
【００８４】
第８実施形態では、図１０（ａ）に示すように、画像形成装置１の表示部１５０の表示画面１５１のプレビュー画像表示領域８５２には、プレビュー画像１５０１が表示されている。また、表示画面１５１には、複数の文字情報１５１０とコピーボタン１５２１が表示されている。
【００８５】
第８実施形態では、図１０（ｂ）に示すように、プレビュー画像１５０１を拡大表示するときに、プレビュー画像表示領域８５２を拡大表示するように制御される。
【００８６】
ここでは、プレビュー画像表示領域８５２ａは、プレビュー画像１５０１の拡大倍率と同じ拡大倍率で拡大表示されている。文字情報１５１０ａとコピーボタン１５２１ａも同様に、プレビュー画像１５０１の拡大倍率と同じ拡大倍率で拡大表示されている。
【００８７】
これにより、プレビュー画像表示領域１５２内でプレビュー画像１５０１の拡大表示を無理なく行うことができる。
【００８８】
以上のように構成したので、第８実施形態によれば、画像形成装置１において、プレビュー画像１５０１を拡大表示するときに、制御部１００により、プレビュー画像表示領域８５２を拡大表示するように制御することで、プレビュー画像表示領域８５２内でプレビュー画像１５０１を見やすい表示状態で表示できるので、視認性に優れたインターフェースを実現できる。
【００８９】
（第９実施形態）
次に、第９実施形態について説明する。
第９実施形態は、画像形成装置１において、制御部１００により、表示されるプレビュー画像の数に応じて、プレビュー画像の拡大／縮小の倍率を変更することを特徴とするものである。
【００９０】
図１１（ａ）は第９実施形態に係る画像形成装置の表示部に１ページ分のプレビュー画像を表示した状態を示す説明図、（ｂ）は前記表示部に２ページ分のプレビュー画像を表示した状態を示す説明図である。
【００９１】
なお、第９実施形態において、説明の便宜上、第１実施形態と同一の機能を有する構成には、同一の番号を付して説明を省略する。
【００９２】
第９実施形態では、図１１（ａ）に示すように、画像形成装置１の表示部１５０の表示画面１５１のプレビュー画像表示領域１５２には、１ページ分のプレビュー画像９５０１が表示されている。また、表示画面１５１には、複数の文字情報１５１０とコピーボタン１５２１が表示されている。
【００９３】
第９実施形態では、プレビュー画像表示領域１５２に２ページ分のプレビュー画像９５０２，９５０３を表示する場合は、図１０（ｂ）に示すように、プレビュー画像９５０２，９５０３がプレビュー画像表示領域１５２内に全体画像が表示されるように、１ページ分のプレビュー画像９５０１の表示サイズよりも縮小されて表示される。
【００９４】
プレビュー画像９５０２，９５０３を１ページ毎にプレビュー画像表示領域１５２に表示する場合は、図１１（ａ）に示すプレビュー画像９５０１と同じ表示サイズで表示される。
【００９５】
以上のように構成したので、第９実施形態によれば、画像形成装置１において、プレビュー画像表示領域１５２内に２つのプレビュー画像９５０２，９５０３を表示するときは、制御部１００により、表示されるプレビュー画像の数に応じて、プレビュー画像９５０２，９５０３の拡大／縮小の倍率を変更して表示するようにしたことで、プレビュー画像毎に拡大／縮小表示する倍率を設定する必要がなく、プレビュー画像表示領域１５２内にプレビュー画像９５０２，９５０３の全体画像を表示して確認できるので、操作性、視認性に優れたインターフェースを実現できる。
【００９６】
（第１０実施形態）
次に、第１０実施形態について説明する。
第１０実施形態は、画像形成装置１において、制御部１００により、プレビュー画像が表示される縦／横方向の向きに応じて、前記プレビュー画像の全体が表示可能に前記プレビュー画像表示領域を拡大／縮小することを特徴とすることを特徴とするものである。
【００９７】
図１２（ａ）は第１０実施形態に係る画像形成装置の表示部にプレビュー画像を縦方向の向きで表示した状態を示す説明図、（ｂ）は前記表示部にプレビュー画像を横方向の向きで表示した状態を示す説明図である。
【００９８】
なお、第１０実施形態において、説明の便宜上、第１実施形態と同一の機能を有する構成には、同一の番号を付して説明を省略する。
【００９９】
第１０実施形態では、図１２（ａ）に示すように、画像形成装置１の表示部１５０の表示画面１５１のプレビュー画像表示領域１５２には、プレビュー画像１０５０１が縦方向の向きで表示されている。また、表示画面１５１には、複数の文字情報１５１０とコピーボタン１５２１が表示されている。
【０１００】
第１０実施形態では、プレビュー画像表示領域１５２において、プレビュー画像１０５０１を縦方向の向きから横方向の向きに表示状態を変えて表示画面１５１に表示する場合は、図１０（ｂ）に示すように、横方向に向いたプレビュー画像１０５０１の全体画像が表示されるように、プレビュー画像表示領域１５２を横方向に拡大したプレビュー画像表示領域１０５２が設定される。
【０１０１】
そして、プレビュー画像表示領域１０５２内にプレビュー画像１０５０１が横方向に向いた状態で表示される。
【０１０２】
以上のように構成したので、第１０実施形態によれば、画像形成装置１において、プレビュー画像１０５０１が表示される縦／横方向の向きに応じて、プレビュー画像１０５０１の全体が表示可能に表示領域を拡大／縮小してプレビュー画像表示領域１０５２を設定するようにしたので、プレビュー画像１０５０１を縦／横方向の向きに拘わらず全体画像を表示することができ、視認性に優れたインターフェースを実現できる。
【０１０３】
以上のように、本発明は、上述した実施例や実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０４】
１  画像形成装置
１００  制御部
１４０  操作部
１５０  表示部
１５１  表示画面
１５２，４５２，８５２，８５２ａ，１０５２  プレビュー画像表示領域
１７０  プレビュー画像表示倍率設定部
１８０  表示情報表示倍率設定部
１９０  表示画像生成部
１５０１，１５０１ａ，１５０２，１５０３，
２５０１，２５０１ａ，２５０２，２５０２ａ，
７５０１，９５０１，９５０２，９５０３，１０５０１  プレビュー画像
１５１０，１５１０ａ，１５１０ｂ，１５１０ｃ，
１５１１，１５１２，１５１２ａ  文字情報（表示情報）
１５２１，１５２１ａ，１５２１ｃ  コピーボタン（表示情報）
１５２２  拡大ボタン（表示情報）
１５２３  縮小ボタン（表示情報）
【図１】
2020107958.tif 000003
【図２】
2020107958.tif 000004
【図３】
2020107958.tif 000005
【図４】
2020107958.tif 000006
【図５】
2020107958.tif 000007
【図６】
2020107958.tif 000008
【図７】
2020107958.tif 000009
【図８】
2020107958.tif 000010
【図９】
2020107958.tif 000011
【図１０】
2020107958.tif 000012
【図１１】
2020107958.tif 000013
【図１２】
2020107958.tif 000014